(57)【要約】  患者の肺の通気を容易にするための人工気道装置（１）あって、気道チューブ（２）と、気道チューブの一端に取り付けられたマスク（３）と、を備え、マスクは、遠位端（４）および近位端（５）ならびに喉頭口の周辺部の周りに封止を形成するように患者の喉頭の後ろの実際のおよび潜在的な空間に適合し、且つその内に収まることが可能である周辺構成部（６）を有し、周辺構成部（６）はマスク（３）の空洞の内部空間または内腔（７）およびマスクの内腔内に開口する気道チューブ（２）を囲み、マスクは、使用時に食道の物を受けるための導管（８）を有し、周辺構成部（６）の外側表面は、使用時に食道の物の排出を容易にするために用いるためのチャンネル（１０）を規定する。
2013538641.tif 000002
【特許請求の範囲】
【請求項１】
患者の肺の通気を容易にするための人工気道装置であって、少なくとも１つの気道チューブと、前記気道チューブの一端に取り付けられたマスクと、を備え、前記マスクは、遠位端および近位端、ならびに喉頭口の周辺部の周りに封止を形成可能な周辺構成部を有し、前記周辺構成部はマスクの空洞の内部空間または内腔および前記マスクの前記内腔内に開口する前記少なくとも１つの気道チューブを囲み、前記マスクは、使用時に食道の物を受けるための導管を有し、前記周辺構成部の外側の表面は、使用時に食道の物の排出を容易にするために用いるためのチャンネルを規定することを特徴とする、人工気道装置。
【請求項２】
前記周辺構成部は、膨張可能なカフを備える、請求項１に記載の装置。
【請求項３】
前記チャンネルは、Ｃ字形状またはＵ字形状のチャンネルであって、前記周辺構成部を形成する材料の中および／または当該材料により形成される、請求項１または２に記載の装置。
【請求項４】
前記周辺構成部はＰＶＣを備える、請求項３に記載の装置。
【請求項５】
前記チャンネルは、前記マスクの前記遠位端から前記マスクの前記近位端の方へ延在し、且つ前記マスクのドレナージチューブと流体連通する、請求項１から４のいずれかに記載の装置。
【請求項６】
前記チャンネルは、前記マスクの前記遠位端から前記マスクの前記近位端の方へ延在し、且つ前記気道チューブのドレナージチューブと流体連通する、請求項１から４のいずれかに記載の装置。
【請求項７】
前記チャンネルは前記マスクまたは前記気道チューブの前記ドレナージチューブの延長部分により覆われて、延長部分はそこから前記チャンネルの遠位端の手前まで延在し、実質的に滑らかで丸みのある端で終わる、請求項５または６に記載の装置。
【請求項８】
前記チャンネルは、前記マスクおよび／または前記気道チューブのドレナージチューブが延長し得る経路を規定することにより、食道からの物の排出を容易にする、請求項１に記載の装置。
【請求項９】
前記マスクは、前記近位端から前記遠位端へ、実質的に凸状の湾曲を描く、先行するいずれかの請求項に記載の装置。
【請求項１０】
前記マスクの本体は板を備え、前記板は背部側と腹部側を有し、前記背部側は実質的に滑らかで、且つその幅にわたって凸状の湾曲を有する、先行するいずれかの請求項に記載の装置。
【請求項１１】
前記気道チューブの背部表面は、その湾曲が、前記板の幅にわたった湾曲に対応する、請求項１０に記載の装置。
【請求項１２】
前記気道チューブは、マスク体に比べて比較的より硬い材料を備える、先行するいずれかの請求項に記載の装置。
【請求項１３】
前記気道チューブは、使用時に患者の歯が接する部分に接した比較的に柔らかい壁部分を含むよう適合される、先行するいずれかの請求項に記載の装置。
【請求項１４】
前記気道チューブは、背部と腹部の表面を含み、比較的に柔らかい壁部分は前記背部と腹部の表面の一方または両方に配置されている、請求項１３に記載の装置。
【請求項１５】
比較的に柔らかい部分は比較的に柔らかい材料を備える、請求項１４に記載の装置。
【請求項１６】
比較的に柔らかい部分は、気道チューブの支えのない部分を備える、請求項１４に記載の装置。
【請求項１７】
前記気道チューブは、患者の噛む動作に対して当該気道チューブを支持する咬合阻止部を含み、比較的に柔らかい部分は、前記咬合阻止部の切除により提供される、請求項１３から１６のいずれかに記載の装置。
【発明の詳細な説明】
【技術分野】
【０００１】
本発明は、人工気道装置に関する。
【背景技術】
【０００２】
喉頭マスク気道装置のような人工気道装置は、意識不明の患者の気道を確立するのに有用な周知の装置である。最も基本的な構成において、喉頭マスク気道装置は、気道チューブと気道チューブの一端に取り付けられたマスクとからなり、マスクは、喉頭口周辺の封止を形成するように患者の喉頭の後ろの実際のおよび潜在的な空間に適合し、且つその内に収まることが可能である“カフ”としてよく知られている周辺構成部を有する。カフは膨張可能であり、そして最も多くの変形例では、それはマスクの中空内部または内腔を取り囲み、少なくとも１つの気道チューブは内腔内部に開口する。米国特許第４，５０９，５１４号は、このような喉頭マスク気道装置を説明する多くの公報の１つである。そのような装置は、長年の間使用されてきており、より古くよりよく知られてさえいる気管内チューブに対する代案を提供する。少なくとも７０年の間、チューブの遠位端に配置された膨張可能なバルーンを備えた長く細いチューブを備える気管内チューブが、意識不明の患者に気道を確立するために使用されてきている。操作において、気管内チューブの遠位端は、患者の口を通って挿入され、患者の気管を通過する。ひとたびそのように位置決めされると、バルーンは、気管の内膜とともに封止を形成するように膨張する。この封止が確立した後に、正の圧力がチューブの近位端に加えられ、患者の肺を通気してもよい。また、バルーンと気管の内膜との間の封止が、肺を吸引から保護する（たとえば、封止は、胃から逆流した物質が患者の肺内に吸引されるのを防止する）。
【０００３】
気管内チューブとは対照的に、喉頭マスク気道装置を患者内に挿入し、それによって気道を確立することは、比較的容易である。また、喉頭マスク気道装置は、不適当に挿入された場合でさえ依然として気道を確立する傾向があるという点で、「寛大な」装置である。その結果、喉頭マスク気道装置は、しばしば「救命」装置と考えられる。また、喉頭マスク気道装置は、患者の頭部、頚部および顎を比較的小さく動かすだけで挿入されてもよい。さらに、喉頭マスク気道装置は、気管の敏感な内膜に接触する必要なく患者の肺への通気を提供し、確立された気道のサイズは典型的に、気管内チューブで確立された気道のサイズよりもかなり大きい。また、喉頭マスク気道装置は、気管内チューブと同一程度に咳を妨げない。主にこれらの利点ゆえに、喉頭マスク気道装置は、近年では、ますます人気を享受している。
【０００４】
米国特許第５，３０３，６９７号および第６，０７９，４０９号には、「挿管喉頭マスク気道装置」と称されてもよい先行技術の装置の例が記載されている。挿管装置は、気管内チューブの挿入を容易にするのに有用であるという追加利点を有する。挿管喉頭マスク気道装置が患者に位置した後に、装置は、その後に挿入される気管内チューブ用のガイドとして作用することができる。このように喉頭マスク気道装置を使用することは、一般に気管内チューブの「ブラインド挿入」として知られていることを容易にする。挿管喉頭マスク気道装置を挿入するために必要なのは、患者の頭部、頚部および顎をわずかに動かすことだけであり、ひとたび装置が患者に位置すると、気管内チューブは、実質的に患者をさらに動かすことなく挿入されてもよい。これは、挿管喉頭マスク気道装置の補助なしで気管内チューブが挿入される場合に必要である患者の頭部、頚部および顎の比較的大きな動きとは対照的に、有効である。さらに、これらの装置は、患者の頭部および頚部を中立位置から動かすことなくいずれのユーザ位置から片手で挿入することを可能にし、また、指を患者の口に挿入することなく適所に置くこともできる。最後に、これは、独自に、挿管を試みる間に通気制御および患者酸素供給を継続することを可能にし、それによって脱飽和の可能性を少なくする気道装置である装置であるという点で独特であると思われる。
【０００５】
示された特徴の人工的気道装置は、米国特許第４，５０９，５１４号、米国特許第５，２４９，５７１号、米国特許第５，２８２，４６４号、米国特許第５，２９７，５４７号、米国特許第５，３０３，６９７号の開示によって、および、英国特許第２，２０５，４９９号の開示によって、例示されている。
【０００６】
さらに、胃の排出ドレナージを追加して設けたような装置は、欧州特許第０７９４８０７号、米国特許第４，９９５，３８８号（図７〜１０）、米国特許第５，２４１，９５６号および米国特許第５，３５５，８７９号によって、例示されており、且つ胃-喉頭マスクとして一般に知られている。これらのマスクは、意識不明の間に嘔吐または胃内容物の逆流からのリスクがある患者に対する気道の確保のために設ける。これら先行技術を読むと、胃-喉頭マスクは、上述したより簡単なデザインの何らの利点も犠牲にすることのないデザインを達成するために設計と製造の多くのしばしば対立する要求を呈すると理解されている。
【０００７】
したがって、一般に、喉頭マスク気道装置は、肺の十分以上の通気を確実にするような断面の気道チューブを提供することを目的とする。胃のドレナージのため設けた設計は、比較的複雑な内側接続と、胃からの排出に実質的な固形体が存在し得るような困難な状況に作用するように計算されている断面とによって特徴づけられている。結果として、下咽頭の直接作用に適用可能なマスクの遠位端に胃の排出開口を設けることは、そのようなマスクが、かさばり過度に曲がりにくくなる傾向になり、したがって、マスクを適切に挿入するのが困難になる。さらに、過度にかさばり曲がりにくくなることは、挿入時に、外傷性の接触を確実に回避するような態様で、患者の解剖学的構造の後部湾曲を追跡するための遠位の柔軟性の必要要件とは正反対である。さらに、製造はより困難性およびコスト高を奏し、そして装置故障のリスクは増加する。
【０００８】
このような課題は、より伝統的な液状シリコンゴム（Liquid  Silicon  Rubber）（ＬＳＲ）とは対照的に、ＰＶＣ等の比較的硬性のある材料から形成された装置では特に重大となり得る。一般に、ＰＶＣ等の材料から形成された装置は、作るのに安価であり、「単回使用」装置として経済的に提供することができるため、魅力的である。しかし、ＰＶＣおよびＰＶＣ接着剤には重要な相違があり、たとえば、ＬＳＲと比較してデュロメータ硬さが増加することであり、これは、使用の際に装置がどのように機能するかに影響を与える。たとえば、所与の容量の空気で、ＬＳＲカフは、匹敵するＰＶＣカフよりも大きなサイズに膨張することが観察されている。この優れた弾性のため、ＬＳＲカフは、減少した粘膜圧力で、解剖学構造的に優れた封止を提供することができる。性能ギャップに近づけるために、ＰＶＣカフは、壁厚を減少しなければならない。しかし、壁厚が減少したＰＶＣカフは、収縮して挿入用に準備されると、気道チューブを通ってカフ遠位先端への挿入力の伝達を適切に吸収することができないため、不良屈曲反応を被る。カフアセンブリは、屈曲性能を保つような、すなわち喉頭蓋の下方への折曲げ（epiglottic downfolding）に抵抗するような厚さへ収縮しなければならず、０．４ｍｍ以下のカフ壁厚が十分な封止を形成するように膨張しなければならない。マスクのバックプレートが、カフ同様、ＰＶＣから形成される場合には、ＰＶＣの増加するデュロメータ硬さが屈曲性能に反比例するという事（ヒステリシス）は、装置の屈曲性能が、変形における反応、応答および回復の観点から、匹敵するＬＳＲ装置に劣るということを意味する。
【発明の概要】
【発明が解決しようとする課題】
【０００９】
上述の課題は、食道ドレーンを組み込む装置では、特に重大である。上述のように、いずれのそのような装置において、それが形成される材料とは無関係に、食道ドレーンをそれ自体に加えることは、製造の複雑さをかなり加え、挿入の容易さ、封止形成および吸入の防止の観点から、装置の性能に影響を与える可能性がある。これらの課題は、ＰＶＣまたは同様に機能する材料が使用される場合には、さらに悪化する可能性がある。たとえば、製造の観点から、気道から封止され且つ膨張可能カフを通って進まなければならないドレーンチューブを提供する必要性が、特に困難な課題を課すことを、当業者は認識している。機能性に関する効果の観点から、ドレーンチューブを設けることは、マスク先端区域に、受け入れることができない硬化および気道通路の閉塞／制限を生じる可能性がある。
【００１０】
本発明の目的は、このような課題を軽減することである。
【課題を解決するための手段】
【００１１】
この発明の第１の局面に従うと、患者の肺の通気を容易にするための人工気道装置であって、少なくとも１つの気道チューブと、前記気道チューブの一端に取り付けられたマスクと、を備え、前記マスクは、遠位端および近位端、ならびに喉頭口の周辺部の周りに封止を形成可能な周辺構成部を有し、前記周辺構成部はマスクの空洞の内部空間または内腔および前記マスクの前記内腔内に開口する前記少なくとも１つの気道チューブを囲み、前記マスクは、使用時に食道の物を受けるための導管を有し、前記周辺構成部の外側の表面は、使用時に食道の物の排出を容易にするために用いるためのチャンネルを規定する、人工気道装置が提供される。このように、本発明が供する装置は、周辺構成部を通過する導管の必要性が回避されるから、製造をより簡単且つ容易にする。
【００１２】
周辺構成部は、例えば膨張可能なカフのように膨張可能である。チャンネルは、例えばＣ字形状またはＵ字形状などのチャンネルであって、周辺構成部を形成する熱成形可能な例えばＰＶＣなどの材料の中および／または当該材料により形成される。チャンネルは、好ましくは、マスクの遠位端からマスクの近位端の方へ延在し、且つマスクまたは気道チューブのドレナージチューブと接続され得る。チャンネルはドレナージチューブまたは気道チューブの延長部分により覆われて、延長部分はチャンネルの遠位端の手前まで延在し、実質的に滑らかで丸みのある端で終わる。そのような端部の構成が、装置を挿入する間の外傷の可能性を回避するのを助けていることは明らかである。
【００１３】
代替の実施の形態において、チャンネルは、マスクおよび／または気道チューブのドレナージチューブが延長し得る経路を規定することにより、食道からの物の排出を容易にするというそれ自体の機能を奏する。
【００１４】
好ましくは、マスクは、近位端から遠位端へ、実質的に凸状の湾曲を描く。さらに好ましくは、マスクの本体は板を備え、その板は背部側と腹部側を有し、その背部側は実質的に滑らかで、且つその幅にわたって凸状の湾曲を有する。また、好ましくは、気道チューブの背部表面は、その湾曲が、板の幅にわたった湾曲に対応する。これら手段の全ては、マスクのより容易な挿入を支援する。
【００１５】
気道チューブは、好ましくは、マスク体に比べて比較的より硬い材料を備える。
気道チューブは、使用時に患者の歯が接する部分に接した比較的に柔らかい壁部分を含む。好ましくは、気道チューブは、背部と腹部の表面を含み、比較的に柔らかい壁部分は背部と腹部の表面の一方または両方に配置されている。比較的に柔らかい部分は比較的に柔らかい材料を備え、または気道チューブの支えのない部分を備えてもよい。好ましくは、気道チューブは、患者の噛む動作に対して当該気道チューブを支持する咬合阻止部を含み、且つ比較的に柔らかい部分は、咬合阻止部の切除により提供される。誤解を避けるために、気道装置は食道の物の除去のための手段を備えてもよく、または備えなくてもよい。
【００１６】
本発明は、図面を参照して例としてさらに説明される。
【図面の簡単な説明】
【００１７】
【図１】発明に従う装置の底部平面、または腹部の図である。
【図２】図１の装置の一部の分解図である。
【図３】図１の装置のマスクの腹側の透視図である。
【図４】図３に示されたマスクの第１の位置での前端部図である。
【図５】図３に示されたマスクの第２の位置での前端部図である。
【図６】図１の装置の側面図である。
【図７】図１の装置の平面、または背部の図である。
【発明を実施するための形態】
【００１８】
図面を参照すると、患者の肺の通気を容易にするための人工気道装置１が示される。人工気道装置１は、少なくとも１つの気道チューブ２と、少なくとも１つの気道チューブの一端に取り付けられたマスク３と、を備え、マスク３は、遠位端４および近位端５、および喉頭口の周辺部の周りに封止を形成するように患者の喉頭の後ろの実際のおよび潜在的な空間に適合し、且つ収まることが可能な周辺構成部６を有し、周辺構成部６はマスク３の空洞の内部空間または内腔７およびマスクの内腔７内に開口する少なくとも１つの気道チューブ２を囲み、マスクは使用時に食道の物を受けるための導管８、使用時に食道の物の排出促進に用いるためのチャンネル１０を規定する周辺構成部６の、使用時における、外側の表面９を有する。
【００１９】
図面から見ることができるように、装置１は、全体的な外観の観点からいえば、喉頭マスク気道装置のすべてでなければその大半を作り上げる基本部品、すなわち、気道チューブ２とマスク３から構成されるという点で、先行技術の装置に幾分類似している。マスク３は２つの構成部品である、しばしばバックプレート（背板：図６と７に示す）と呼ばれる本体部１１、および膨張導管１２を用いて膨張可能なカフの形をここでとる周辺構成部６を含む。
【００２０】
説明のために、装置１の区域に参照名を割り当てることが適切であり（その構成部分に対応するとして）、したがって、図６と７を参照すると、装置１は、背側部１４、腹側部１５、近位端１６（患者ではなく、ユーザに最も近い端という意味で）、遠位端１７、および右側部１８と左側部１９を有する。
【００２１】
最初に気道チューブ２を参照すると、例示された実施形態において、チューブ２は、比較的硬性のあるＰＶＣ材料、たとえば、ショア９０Ａカラライト（Ｃｏｌｏｒｉｔｅ）ＰＶＣを備え、適切に解剖学構造的にカーブした形状に成形されている。チューブ２は、曲げられた場合には元々の形状に戻るように、幾分の柔軟性を有する。このように弾性的に変形可能であるが、装置１を患者内に挿入するのを補助するのを可能にするほど十分な硬性があり、マスクを位置決めするためのハンドルおよびガイドとして作用する。気道チューブ２は、多くの先行技術の装置がそうであるような円形の断面は有さず、代わりに、背部／腹部方向に圧縮され、これは、形状が自然の気道の形状をほぼ模倣するため、装置１の正確な挿入を補助し、捩れを防止するのを助け、患者にとって快適な位置決めを補助する。この実施形態において、気道チューブ２の各側部１８、１９は、近位端から遠位端へチューブの長さの大半を延在する溝またはチャンネル２０も含む。これらの溝２０は、気道チューブ２が潰れるか捩れるのを防止するのをさらに補助する。内面的に、溝２０は、側部１８および１９の内側表面に沿って隆起部を形成するが、これは、これらの操作に対しては本質的ではない。
【００２２】
気道チューブ２のさらに他の特徴は、食道ドレーンチューブ４１である。このドレーンチューブ４１は、気道チューブ２内に位置し、これを通って遠位端から近位端へ中央に延在し、この実施形態では、気道チューブ２の背部壁２ｂの内側表面に接触するように配置され、各側部では、それが延在する浅いチャンネルを形成する隆起した滑らかな壁（図示せず）で境界づけられている。気道チューブ２の近位端ではドレーンチューブ４１は、吸込み管が装着され得る分枝コネクタ４２の分枝部４２ａを介して、気道チューブ２から抜ける。
【００２３】
分枝コネクタ４２は、また、分枝部４２ｂを介して気体サプライに気道チューブを接続するのを可能にする。ここでは、それは、気体流路と吸込み管の簡単な接合を可能にするために（気道チューブ２に比較すると）比較的硬い可塑性の材料から成形される。図２を参照し、コネクタ４２は、そのより細い近位端から延在する分枝部４２ａと４２ｂを有する空間を規定するいくぶん扁平な空洞の円錐形コネクタ体４３を備える。円錐体４３は、コネクタの長手方向軸に対しほぼ垂直の方向に、タブ４２ｄが延在する周辺フランジ４２ｃを含む。挿入部分４４は、円錐体４３の遠位端から長手方向に延在する。挿入部分４４は、チューブとして説明が可能であり、背部から腹部にかけて平坦であり、壁を除去した残りの切欠部４４ｅと“腕部”４４ａの２つの部分を有する。挿入部４４は、腕部４４ａが気道チューブの側部に支持と硬性をもたらし、挿入部４４が気道チューブ２の内部に嵌合するように、形状と寸法について気道チューブ２の遠位端の内部形状に一致する。除去された壁部分４４ｅの結果として、除去された部分に隣接する気道チューブ２の部分のための支持は、減じられる。柔軟かつ適合した材料からなるスリーブ４５は、挿入部４４が中へ位置する範囲を覆い気道チューブ２の外周に位置して接合され、そして、この部分では、気道チューブの壁の厚みは、減じられて、この部分４６で全体の厚みが増加しないという事に適合する。したがって、この構成は、装置の使用時に患者の歯が通常位置する部分で気道チューブ２を支持するばかりでなく、硬さを抑えた部分の効果で歯の損傷を防止できるような咬合阻止部を供することが理解されるであろう。コネクタのこの構成は、食道ドレーンを含まない気道装置にも適用できることが理解されるであろう。
【００２４】
次に、マスク３に移ると、マスク３は、２つの部品、すなわち、しばしばバックプレート（背板）と称される本体部品１１と、周辺カフ６とから構成される。
【００２５】
バックプレート１１は、ショア５０Ａヴィセーン（Ｖｙｔｈｅｅ）ＰＶＣ＋ＰＵから成形することによって形成されている。この材料は、気道チューブ２の材料よりも、実質的により柔らかく、より変形可能である。バックプレート１１は、背部または腹部の方向から見たときに、略長円のモールディングを備え、滑らかな背部表面２４と、形成された腹部表面２４ａ（図５）とを備える。背部表面２４は、一方の側部から他方の側部へ凸状湾曲を有し、気道チューブ２の背部表面の湾曲に対応し、且つ、長手方向にカーブし、結合部分２４ｂで開始する湾曲を有し、一定の率の湾曲で遠位先端へ向けて延在する。結果として、先端は、気道チューブの遠位端に対して腹部側に偏り、組み立てられた装置１で、遠位先端の変位の程度は、患者の解剖学的構造に適するマスクの湾曲を生成するために、およそ２０ｍｍまたは１０度である。挿入時に、先端のこの変位は、挿入経路で「隅を曲がる」際にマスクを補助する。
【００２６】
バックプレート１１は、その近位端から遠位端まで延在する一体的に成形された円筒状のドレインチューブ２０を含む。近位端では、ドレインチューブ１１は、それを気道チューブのドレインチューブに接続され得るような寸法を有する。遠位端では、ドレインチューブ２０の壁は切除部２１と、滑らかに曲がったエッジ部を有する。
【００２７】
マスク３の第２の部品は、周辺カフ６である。カフ６は、この実施形態では、ブロー成形されたＰＶＣであり、中心開口部７ａと、膨張ポート３８を備えた比較的深い近位端３７と、「楔」プロファイル３９へテーパする比較的浅い遠位端と、を有する略楕円形の膨張可能リングの形態を取る。遠位端では、カフはその背面でチャンネル２２が形成され、チャンネルはカフの近位置から遠位置方向へ端部に向けて延在するＣ文字形状の開口である。カフ６は、一部品に一体的に形成されている。楔プロファイルは、背側部表面積の腹側部表面積に対する率が背側部を支持するように設けられる。このようにして、収縮したときには、カフ６の遠位端は、背側部から腹側部へ偏って曲がる。
【００２８】
カフ６は、ドレインチューブ２０の切除部分がバックプレート１１の背部表面でチャンネル２２の上方に延在するように、バックプレート１１に接合されて、それにより、チューブ、バックプレートが形成する壁の部分、およびカフ６の部分を形成する。チューブは、カフの遠方先端または、ちょうど手前で終了し、滑らかな端部は背部方向においてある程度開口する。
【００２９】
使用の際には、収縮した装置１が、この種類の装置の通常のやり方で、患者内に挿入される。上で述べたように、気道チューブ２は比較的硬性があり、ユーザは、これを把持することができ、これを使用して装置１を患者内にガイドし、一方、バックプレートの比較的柔らかくより適合した材料は、マスクがより容易に変形し、解剖学的構造を損傷することなく挿入経路と折り合いを付け、且つ、その最適な形状に戻り、挿入の最も遠い範囲で良好な封止が達成されるのを確実にするということを意味する。バックプレート１１と気道チューブ２との間の接合箇所に対する遠位先端の腹部変位は、挿入の容易さをさらに高めるが、それは、遠位先端がそれによって、挿入経路の「曲げ」と折り合いを付けるための最適な角度で呈されるからである。ＰＶＣ等のような比較的硬性のある材料から形成された装置では、しばしば使用されるＬＳＲとは対照的に、挿入を容易にし、その封止を高める際に、これらの特徴は特に重要である。食道ドレインチューブは従来のデザインのようにカフの内部を通過しないが、そのかわり、その表面に形成されたチャンネルに存在するので、装置は、製造をより容易にするとともに、カフの完全性が維持されるため不良に対する耐性をより高くすることが理解される。
【図１】
2013538641.tif 000003
【図２】
2013538641.tif 000004
【図３】
2013538641.tif 000005
【図４】
2013538641.tif 000006
【図５】
2013538641.tif 000007
【図６】
2013538641.tif 000008
【図７】
2013538641.tif 000009
【国際調査報告】
2013538641.tif 000010
2013538641.tif 000011
2013538641.tif 000012
2013538641.tif 000013